(57)【要約】【課題】垂直キーストン補正に用いる基準値の設定に際し、専用の治具を必要とせず、簡易に再設定を可能とする。【解決手段】垂直斜め投射をした場合における投射画像の台形歪みを補正するキーストン補正部２０を備える画像投射装置１００において、当該画像投射装置１００の傾きを検出する加速度センサ２１と、当該画像投射装置１００の傾きを調整する調整部と、調整部で所定の角度に調整された際にオンオフ状態が変動するＳＷ１〜ＳＷ４と、を備え、キーストン補正部２０は、ＳＷ１〜ＳＷ４の状態変化に基づいて、調整部で所定の角度に調整されたことを検知して、該所定の角度における加速度センサ２１の値を加速度センサ２１の基準値として設定する。【選択図】図１
2016062008.tif 000002
【特許請求の範囲】
【請求項１】
垂直斜め投射をした場合における投射画像の台形歪みを補正するキーストン補正部を備える画像投射装置において、
当該画像投射装置の傾きを検出するセンサ部と、
当該画像投射装置の傾きを調整する調整部と、
前記調整部で所定の角度に調整された際にオンオフ状態が変動するスイッチ部と、を備え、
前記キーストン補正部は、前記スイッチ部の状態変化に基づいて、前記調整部で前記所定の角度に調整されたことを検知して、該所定の角度における前記センサ部の値を当該センサ部の基準値として設定することを特徴とする画像投射装置。
【請求項２】
前記調整部は、少なくともフロント側およびリア側に設けられ、当該画像投射装置の本体からの突出量を変動させることで傾きを調整する調整足であることを特徴とする請求項１に記載の画像投射装置。
【請求項３】
前記スイッチ部は、
前記フロント側の調整足の近傍において、設置面側に設けられる第１スイッチと、
前記リア側の調整足の近傍において、設置面側に設けられる第２スイッチと、
前記フロント側の調整足の近傍において、本体側に設けられる第３スイッチと、
前記リア側の調整足の近傍において、本体側に設けられる第４スイッチと、を有することを特徴とする請求項２に記載の画像投射装置。
【請求項４】
前記キーストン補正部は、
前記第１スイッチおよび前記第２スイッチがオンのとき、当該画像投射装置が傾きのない状態を検出し、
前記第２スイッチおよび前記第３スイッチがオンのとき、当該画像投射装置が正方向の所定の傾きを有する状態を検出し、
前記第１スイッチおよび前記第４スイッチがオンのとき、当該画像投射装置が負方向の所定の傾きを有する状態を検出することを特徴とする請求項３に記載の画像投射装置。
【請求項５】
前記スイッチ部は、当該画像投射装置の本体側に設けられており、各スイッチ部の押圧部が近傍の調整足にて押圧されることでオフからオンになることを特徴とする請求項３または４に記載の画像投射装置。
【請求項６】
前記スイッチ部は、前記調整足に設けられており、各スイッチ部の押圧部が当該画像投射装置の本体にて押圧されることでオフからオンになることを特徴とする請求項３または４に記載の画像投射装置。
【請求項７】
前記調整部は、少なくともフロント側に設けられる調整足であることを特徴とする請求項１に記載の画像投射装置。
【請求項８】
垂直斜め投射をした場合における投射画像の台形歪み補正をするキーストン補正処理を行う画像投射装置の設定方法であって、
前記画像投射装置は、
当該画像投射装置の傾きを検出するセンサ部と、
当該画像投射装置の傾きを調整する調整部と、
前記調整部で所定の角度に調整された際にオンオフ状態が変動するスイッチ部と、を備え、
前記キーストン補正処理では、前記スイッチ部の状態変化に基づいて、前記調整部で前記所定の角度に調整されたことを検知して、該所定の角度における前記センサ部の値を当該センサ部の基準値として設定することを特徴とする画像投射装置の設定方法。
【発明の詳細な説明】
【技術分野】
【０００１】
本発明は、画像投射装置および画像投射装置の設定方法に関する。
【背景技術】
【０００２】
画像投射装置として広く知られたプロジェクタは、近来、液晶パネルの高解像化、光源ランプの高効率化に伴う明るさの改善、低価格化などが進んでいる。例えば、ＤＭＤ（Digital  Micro-mirror  Device）を利用した小型軽量な画像投射装置が普及し、オフィスや学校のみならず家庭においても広くこれら画像投射装置が利用されるようになってきている。また、スクリーンまでの投射距離を短くした、所謂至近プロジェクタ等の画像投射装置の開発が盛んである。
【０００３】
また、台形歪みを補正するキーストン補正（台形歪み補正）機能を備えた画像投射装置が広く知られている。図７は、正対投影方向に対して垂直方向にあおり角をもって投射された際に生じる縦台形歪みを補正する垂直キーストン補正（縦台形歪み補正）の説明図である。
【０００４】
図７（Ａ）に示すように、画像投射装置１００を、被投射面としてのスクリーン１０１に対し、正対投射（０度）とする場合、スクリーン１０１に投射される投射画像１０２は、正規な形状である四角形状にて投射される。
【０００５】
一方、図７（Ｂ）に示すように、画像投射装置１００の調整足等を用いて、上向き投射（＋α度）に設定した場合、投射画像１０２は、投射レンズから遠い上辺が下辺より長い台形形状となる。
【０００６】
垂直キーストン補正は、この台形になった投射画像を四角形状にするための補正であり、画像投射装置１００内にて電気的な画像処理を加えることにより、投射画像１０２を図７（Ｃ）に示すように四角形状にするものである。
【０００７】
この垂直キーストン補正を実施するための角度情報を得るために画像投射装置は加速度センサを内蔵している。例えば、特許文献１には、加速度センサと、センサ用補正手段とを備え、加速度センサの温度ドリフトを補正することができるプロジェクタが開示されている。
【０００８】
この加速度センサを搭載している画像投射装置では、実際の画像投射装置の傾き角度と加速度センサで入手できる情報（センサ値）との相関を取るため、加速度センサを搭載している画像投射装置の角度を、専用治具を用いて所望の角度として、そのときの加速度センサ値とを関係付けて、垂直キーストン補正に用いる基準値（基準値データ）を設定している。
【０００９】
したがって、加速度センサを用いて垂直キーストン補正を行う画像形成装置においては、実際の角度とセンサ値との関係付けを行なう初期設定が必要となる。この初期設定は、画像投射装置の製造工程において、正確な角度で調整をする必要がある。このため、一般に専用の治具を用いた調整が行われている。
【発明の概要】
【発明が解決しようとする課題】
【００１０】
このため、画像投射装置の製造出荷後における市場において、例えば、キーストン補正に用いる基準値が収納されている記憶部を有する電気系基板を交換する場合などは、変更後の基板にて再度キーストン補正の基準値を設定することが必要となる。しかしながら、キーストン補正の基準値を再設定する必要がある場合、市場において専用の治具を用意することは困難であるため、簡易的な治具で対応せざるをえず、正確な調整ができないことが考えられる。また、製造工程に戻して再度キーストン補正の基準値を設定することは、コスト、時間、手間がかかってしまう。
【００１１】
そこで本発明は、垂直キーストン補正に用いる基準値の設定に際し、専用の治具を必要とせず、簡易に再設定することを可能とする画像投射装置を提供することを目的とする。
【課題を解決するための手段】
【００１２】
かかる目的を達成するため、本発明に係る画像投射装置は、垂直斜め投射をした場合における投射画像の台形歪みを補正するキーストン補正部を備える画像投射装置において、当該画像投射装置の傾きを検出するセンサ部と、当該画像投射装置の傾きを調整する調整部と、前記調整部で所定の角度に調整された際にオンオフ状態が変動するスイッチ部と、を備え、前記キーストン補正部は、前記スイッチ部の状態変化に基づいて、前記調整部で前記所定の角度に調整されたことを検知して、該所定の角度における前記センサ部の値を当該センサ部の基準値として設定するものである。
【発明の効果】
【００１３】
本発明によれば、垂直キーストン補正に用いる基準値の設定に際し、専用の治具を必要とせず、簡易に再設定することを可能とすることができる。
【図面の簡単な説明】
【００１４】
【図１】画像投射装置の構成を示すブロック図である。
【図２】専用の治具を用いてキーストン補正の基準値データを設定する際の説明図である。
【図３】調整足を用いてキーストン補正の基準値データを設定する際の説明図であって、（Ａ）は画像投射装置が傾きなく置かれた状態を示す図、（Ｂ）は（Ａ）の丸囲み部分の概略断面図である。
【図４】調整足を用いてキーストン補正の基準値データを設定する際の説明図であって、（Ａ）は画像投射装置が＋α度の状態を示す図、（Ｂ）は画像投射装置が−α度の状態を示す図である。
【図５】キーストン補正の基準値設定処理の一例を示すフローチャートである。
【図６】メカスイッチを調整足に設けた画像投射装置の説明図である。
【図７】垂直キーストン補正の説明図である。
【発明を実施するための形態】
【００１５】
以下、本発明に係る構成を図１から図６に示す実施の形態に基づいて詳細に説明する。
【００１６】
［第１の実施形態］
（画像投射装置の構成）
図１は、本発明に係る画像投射装置の一実施形態である画像投射装置１００の構成を示すブロック図である。
【００１７】
画像投射装置１００は、映像信号制御部１、リモコン受信部２、システム制御部３、メモリ４、入力端子５、本体操作部６、ファン制御部７、ファン８、ＤＭＤ制御部９、カラーホイール制御部１０、回転検出部１１、ランプ制御部１２、投射レンズ１３、ＤＭＤ１４、カラーホイール１５、ランプ１６、加速度センサ２１、スイッチ制御部２２、第１〜第４のスイッチ（ＳＷ１〜ＳＷ４）を備え、スクリーン２００に画像を投射する画像投射装置である。また、遠隔操作手段としてのリモコン１７を備えている。
【００１８】
システム制御部３は、画像投射装置１００の全体の制御を行う。また、入力された映像信号に対してのスケーリング処理などの画像処理や、投射画像にメニュー画面を重畳表示させる処理や、その他各種制御をおこなう。また、システム制御部３の一部がキーストン補正に必要な基準値データを設定する基準値設定処理（単に、キーストン設定ともいう）、および画像処理によるキーストン補正を実施するキーストン補正部２０として構成される。また、映像信号制御部１、リモコン受信部２、メモリ４、本体操作部６、ファン制御部７、ＤＭＤ制御部９、カラーホイール制御部１０、回転検出部１１、ランプ制御部１２、加速度センサ２１、スイッチ制御部２２と接続されており、これら各部を制御する。
【００１９】
入力端子５は、映像信号を入力するインタフェースであって、Ｄ−Ｓｕｂコネクタ等のＶＧＡ（Video  Graphics  Array）入力端子やＨＤＭＩ（High-Definition  Multimedia  Interface）（登録商標）端子、Ｓ−ＶＩＤＥＯ端子、ＲＣＡ端子等のビデオ入力端子等である。入力端子５に接続されたケーブルを介してコンピュータやＡＶ機器などの映像供給装置から映像信号を受信する。また、複数の入力端子５を備える場合もある。
【００２０】
映像信号制御部１は、入力端子５に入力された映像信号を処理するものであって、例えば、当該映像信号にシリアル−パラレル変換や電圧レベル変換などの種々の処理を施す。また、映像信号の解像度や周波数などを解析する信号判定機能を有する。
【００２１】
メモリ４は、映像信号に対する画像処理やその他各種処理において、データを記憶する。例えば、キーストン補正に用いる基準値データが記憶される。メモリ４としては、例えば、ＥＰＲＯＭやＥＥＰＲＯＭ、フラッシュメモリ等の不揮発性半導体メモリを採用することができる。
【００２２】
本体操作部６は、画像投射装置１００を操作するインターフェースであって、ユーザからの種々の操作要求を受け付ける。本体操作部６は、操作要求を受け付けると、当該操作要求をシステム制御部３に通知する。本体操作部６は、画像投射装置１００の外面に設けられる操作キー（操作ボタン）等によって構成される。
【００２３】
リモコン受信部２は、リモコン１７からの操作信号を受信する。リモコン受信部２は、操作信号を受信すると、当該操作信号をシステム制御部３に通知する。
【００２４】
ユーザは、本体操作部６またはリモコン１７を操作することにより、各種設定等を行うことができる。例えば、メニュー画面等の表示指示、投射画像のアスペクト比の変更要求、画像投射装置１００の電源ＯＦＦ要求、光源の光量を変更するランプパワー変更要求、投射画像の画質（高輝度や標準、ナチュラル等）を変更する映像モード変更要求、投射画像を停止するフリーズ要求、キーストン再設定などを実行することができる。
【００２５】
ファン８は、吸気ファン、排気ファン、冷却ファン等で構成される。吸気ファンから吸入した外気を排気ファンから排出することで、画像投射装置１００に気流を発生させて空冷がなされる。また、ランプ１６の近傍には光源冷却手段としての冷却ファンが設けられている。
【００２６】
ファン制御部７は、画像投射装置１００内の温度やランプ１６の温度が所定の温度となるようにファン８を制御する。
【００２７】
光源としてのランプ１６は、例えば、一対の電極間の放電により発光物質が発光する高圧水銀ランプである。また、ランプ制御部１２は、ランプ１６のオン／オフや点灯パワーなどを制御する。
【００２８】
ランプ１６から照射された光は、円盤状のカラーホイール１５により単位時間毎に各色が繰り返す光に分光される。
【００２９】
カラーホイール制御部１０は、カラーホイール１５の回転駆動を制御する。また、回転検出部１１は、カラーホイール１５の回転状態を検出する。
【００３０】
カラーホイール１５から出射した光は、ライトトンネル、照明光学系（リレーレンズ、平面ミラーおよび凹面ミラー）を介して画像表示素子としてのＤＭＤ１４に集光される。
【００３１】
ＤＭＤ１４は、複数のマイクロミラーからなる略矩形のミラー面を有し、映像データに基づいて各マイクロミラーが時分割駆動されることにより、所定の映像を形成するように投射光を加工して反射する画像表示素子である。また、ＤＭＤ制御部９は、ＤＭＤ１４のマイクロミラーのオン／オフを制御する。
【００３２】
ＤＭＤ１４により、時分割で映像データに基づいて、複数のマイクロミラーが使用する光は投射レンズ１３へ反射され、捨てる光はＯＦＦ光板へ反射される。使用する光は投射レンズ１３へ反射し、投射レンズ１３を通り拡大された映像光はスクリーン２００上へ拡大投射される。
【００３３】
加速度センサ２１は、キーストン補正に用いるセンサであって、画像投射装置１００の重力方向に対する傾きを検出する。
【００３４】
スイッチ制御部２２は、第１スイッチ〜第４スイッチ（ＳＷ１〜ＳＷ４）のオンオフ状態を検知し、キーストン補正部２０に通知する。また、キーストン補正部２０より、キーストン設定がオンとなった場合のみ、第１スイッチ〜第４スイッチの検知が有効な状態に制御する。
【００３５】
（キーストン設定）
図２は、専用の治具を用いて画像投射装置の垂直キーストン補正の基準値を設定する際の説明図である。図２（Ａ）は画像投射装置１００が設置面１０３に対して傾きなく置かれた状態（０度状態）、図２（Ｂ）はα度上向き投射される状態（＋α度状態）、図２（Ｃ）はα度下向き投射される状態（−α度状態）をそれぞれ示している。
【００３６】
上述のように加速度センサ２１を内蔵した画像投射装置１００における垂直キーストン補正に際しては、先ず、基準となる角度（画像投射装置１００の実際の角度）とその時の加速度センサのセンサ値とを関係付ける必要がある。ここで、基準となる角度は、例えば、０度、任意のプラス側角度＋α度、および任意のマイナス側角度−α度の３つとすることができる。
【００３７】
このときの角度（α，−α）は、精確さが要求されるため、画像投射装置１００の姿勢が実際に所望の角度になるように専用の治具１０４を使って角度設定がされる。そして、各状態での加速度センサのセンサ値と関連付け、これが基準値データとなる。例えば、表１のように基準値データ（センサデータＡ，Ｂ，Ｃ）を取得する。なお、角度０と＋α、０と−αの間のセンサデータについては補完するものであればよい。
【００３８】
【表１】
2016062008.tif 000003
【００３９】
このように、基準値データを取得するためには、製造工程においてキーストン設定専用の治具１０４を使って画像投射装置１００の正確な角度に設定したうえで取得しなければならなかった。このため、例えば、基準値データが保存されているメモリ４を含む電気系基板の交換が必要になった場合には、キーストン補正の再設定が必要になる。この場合、治具１０４が必要となるが、市場のサービス部門等において専用の治具１０４を準備しておくことはコスト、設備管理の面で課題があり、製造工場まで戻し専用の治具１０４を使って再調整をするにしても非常に手間と費用が掛かることになっていた。
【００４０】
そこで、本実施形態に係る画像投射装置は、垂直斜め投射をした場合における投射画像の台形歪みを補正するキーストン補正部（キーストン補正部２０）を備える画像投射装置（画像投射装置１００）において、当該画像投射装置の傾きを検出するセンサ部（加速度センサ２１）と、当該画像投射装置の傾きを調整する調整部（調整足３０）と、調整部で所定の角度に調整された際にオンオフ状態が変動するスイッチ部（第１スイッチ（ＳＷ１）〜第４スイッチ（ＳＷ４））と、を備え、キーストン補正部は、スイッチ部の状態変化に基づいて、調整部で所定の角度（α度，−α度）に調整されたことを検知して、該所定の角度におけるセンサ部の値を当該センサ部の基準値として設定するものである。なお、括弧内は実施形態での符号、適用例を示す。
【００４１】
図３および図４は、調整足を用いて画像投射装置１００の垂直キーストン補正の基準値を設定する際の説明図である。図３（Ａ）は画像投射装置１００が設置面１０３に対して傾きなく置かれた状態（０度状態）を示す図である。図３（Ａ）に示すように、画像投射装置１００の本体は、投射レンズ１３のあるフロント側の調整足３０ａと、リア側の調整足３０ｂの２本の調整足３０に支持されて、設置面１０３に対して載置される。
【００４２】
図３（Ｂ）は、図３（Ａ）の丸囲み部分の概略断面図を示している。調整足３０ａは、上板部３１ａと脚部３２ａと台座部３３ａとからなる。ここで、図３（Ｂ）に示すように、上板部３１ａは画像投射装置１００の筐体９９（本体部）の内部に設けられ、台座部３３ａは筐体９９の外部に設けられ設置面１０３に設置される。また、脚部３２ａはネジ構造を有し、筐体９９には脚部３２ａと嵌合する孔部９８ａ（ネジ穴）が設けられている。ここで、調整足３０ａは、脚部３２ａの筐体９９からの突出量を調整可能に設けられており、台座部３３ａを回転させて脚部３２ａを回動させることで、筐体９９からの突出量を調整することができる。
【００４３】
同様に、調整足３０ｂは、上板部３１ｂと脚部３２ｂと台座部３３ｂとからなり、上板部３１ｂは筐体９９の内部に設けられ、台座部３３ｂは筐体９９の外部に設けられ設置面１０３に設置される。また、脚部３２ｂはネジ構造を有し、筐体９９には脚部３２ｂと嵌合する孔部９８ｂ（ネジ穴）が設けられている。調整足３０ｂは、脚部３２ｂの筐体９９からの突出量を調整可能に設けられており、脚部３２ｂを回動させることで、筐体９９からの突出量を調整することができる。
【００４４】
この２本の調整足３０ａ，３０ｂにより、画像投射装置１００を傾けて上向き投射または下向き投射することが可能となっている。なお、本実施形態では、調整足３０ａ，３０ｂの脚部３２がネジであり、筐体９９にネジ受けとしての孔部９８が設けられている例について説明したが、突出量を調整する調整機構は特に限られるものではなく、例えば、脚部３２を伸縮棒構造としてもよい。
【００４５】
そして、筐体９９における孔部９８ａの外縁部分には、台座部３３ａ側に釦（押圧部）を有するメカスイッチ（第１スイッチ、ＳＷ１）と、上板部３１ａ側に釦を有するメカスイッチ（第３スイッチ、ＳＷ３）が設けられている。同様に、筐体９９における孔部９８ｂの外縁部分には、台座部３３ｂ側に釦を有するメカスイッチ（第２スイッチ、ＳＷ２）と、上板部３１ｂ側に釦を有するメカスイッチ（第４スイッチ、ＳＷ４）が設けられている。
【００４６】
ここで、図３（Ｂ）に示すように、台座部３３側に釦を有する２つのメカスイッチ（ＳＷ１，ＳＷ２）の釦が台座部３３に当接または押圧されてオンとなっている状態を、画像投射装置１００が傾きのない状態（０度状態）として設定する。換言すれば、ＳＷ１およびＳＷ２がオフからオンとなる状態で、画像投射装置１００が０度状態となるように、ＳＷ１およびＳＷ２は配置位置が決定される。
【００４７】
また、図４（Ａ）に示すように、０度状態から調整足３０ａを伸ばしていき、調整足３０ａの上板部３１ａ側に釦を有するＳＷ３が、上板部３１ａに当接または押圧されてオンとなる状態を、画像投射装置１００の本体がキーストン設定に必要な角度＋α度になるように設定する。なお、このとき、調整足３０ｂ側は変動しないため、ＳＷ２はオンのままである。
【００４８】
さらに、図４（Ｂ）に示すように、０度状態から調整足３０ｂを伸ばしていき、調整足３０ｂの上板部３１ｂ側に釦を有するＳＷ４が、上板部３１ｂに当接または押圧されてオンとなる状態を、画像投射装置１００の本体がキーストン設定に必要な角度−α度になるように設定する。なお、このとき、調整足３０ａ側は変動しないため、ＳＷ１はオンのままである。
【００４９】
換言すれば、ＳＷ２はオンの状態で、かつＳＷ３がオフからオンとなる状態で、画像投射装置１００が＋α度状態となるように、各ＳＷは配置位置が決定される。また、ＳＷ１はオンの状態で、かつＳＷ４がオフからオンとなる状態で、画像投射装置１００が−α度状態となるように、各ＳＷは配置位置が決定される。
【００５０】
このように配置されたメカスイッチＳＷ１〜ＳＷ４を備えることにより、画像投射装置１００のキーストン補正部２０は、ＳＷ１及びＳＷ２がオンになったときに、０度状態を認識し、そのときの加速度センサ２１の値を記憶する。また、フロント側の調整足３０ａを上げてＳＷ２およびＳＷ３がオンになったときに、＋α度状態を認識し、そのときの加速度センサ２１の値を記憶する。また、リア側の調整足３０ｂを上げてＳＷ４およびＳＷ１がオンになったときに、−α度状態を認識し、そのときの加速度センサ２１の値を記憶する。これにより、図２において治具１０４を用いて取得したセンサデータＡ，Ｂ，Ｃ（表１参照）と同様の基準値データを、治具１０４を用いることなく取得することができ、これに基づいて、キーストン補正が可能となる。
【００５１】
なお、ＳＷ１〜ＳＷ４は、通常使用時において、調整足３０ａ，ｂを上げ下げする度に触れる可能性があるため、メニュー操作からキーストン設定が選択されキーストン設定時のみ、スイッチ制御部２２により読み取り有効に制御されることが好ましい。
【００５２】
また、本実施形態では、画像投射装置１００の本体は、フロント側の調整足３０ａと、リア側の調整足３０ｂの２本の調整足３０により支持される構成を示したが、調整足３０の本数はこれに限られるものではない。例えば、フロント側またはリア側のいずれか一方が２本で計３本を有するものであってもよい。この場合、複数設けられる側のすべての調整足にメカスイッチを備えればよい。また、複数設けられる側のすべての調整足の調整量を同じくする場合は、少なくともいずれかの調整足にメカスイッチを備えるものであればよい。
【００５３】
図５は、キーストン補正の基準値設定処理の一例を示すフローチャートである。また、表２は、画像投射装置１００の各状態と各スイッチのオンオフの状態を示す一覧表である。
【００５４】
【表２】
2016062008.tif 000004
【００５５】
図５に示すように、キーストン０度設定が開始されると（Ｓ１０１）、先ず、スイッチ制御部２２は、ＳＷ１〜ＳＷ４を読み取り状態とする（Ｓ１０２）。そして、スイッチ制御部２２は、ＳＷ１およびＳＷ２がオンであることを検知し、これをキーストン補正部２０に通知する（Ｓ１０３）。この通知を受けると、キーストン補正部２０は、加速度センサ２１の値を読み取り（Ｓ１０４）、これを基準値データ（加速度センサ値Ａ）として記憶し（Ｓ１０５）、キーストン０度設定は終了する（Ｓ１０６）。
【００５６】
次いで、キーストン＋α度設定が開始されると（Ｓ２０１）、先ず、スイッチ制御部２２は、ＳＷ１〜ＳＷ４を読み取り状態とする（Ｓ２０２）。続けて設定する場合は、読み取り状態を維持するものであればよい。そして、スイッチ制御部２２は、ＳＷ２およびＳＷ３がオンであることを検知し、これをキーストン補正部２０に通知する（Ｓ２０３）。この通知を受けると、キーストン補正部２０は、加速度センサ２１の値を読み取り（Ｓ２０４）、これを基準値データ（加速度センサ値Ｂ）として記憶し（Ｓ２０５）、キーストン＋α度設定は終了する（Ｓ２０６）。
【００５７】
次いで、キーストン−α度設定が開始されると（Ｓ３０１）、先ず、スイッチ制御部２２は、ＳＷ１〜ＳＷ４を読み取り状態とする（Ｓ３０２）。続けて設定する場合は、読み取り状態を維持するものであればよい。そして、スイッチ制御部２２は、ＳＷ１およびＳＷ４がオンであることを検知し、これをキーストン補正部２０に通知する（Ｓ３０３）。この通知を受けると、キーストン補正部２０は、加速度センサ２１の値を読み取り（Ｓ３０４）、これを基準値データ（加速度センサ値Ｃ）として記憶し（Ｓ３０５）、キーストン−α度設定は終了する（Ｓ３０６）。
【００５８】
このようにメカスイッチＳＷ１〜ＳＷ４のオンオフの状態組み合わせにより、画像投射装置１００の設置状態を認識し、そのときの加速度センサ値と関係付けを行なうことが可能となり、キーストン基準値の再設定が可能となる。
【００５９】
なお、キーストン０度設定（Ｓ１０１〜Ｓ１０６）、キーストン＋α度設定（Ｓ２０１〜Ｓ２０６）、キーストン−α度設定（Ｓ３０１〜Ｓ３０６）の各処理ブロックの実行順序は特に限られるものではなく、３つの処理をどの順序で実行してもよい。
【００６０】
以上説明したように、本実施形態に係る画像投射装置では、垂直キーストン基準データ設定において、画像投射装置の傾きを調整する調整足部分に、キーストン設定角度を認識できるようにスイッチを設け、そのスイッチの切り替えタイミングにて、画像投射装置の所望の角度を認識している。
【００６１】
これにより、キーストン設定に必要な画像投射装置の所望の角度と、そのときの加速度センサ値を関係付けることができるので、キーストン補正に用いる基準値データがリセットされた場合でも、角度設定のための専用の治具を使うことなく画像投射装置本体のみでキーストン補正に用いる基準値データの取得、再取得をすることができる。
【００６２】
このように、基準値データ取得のための専用治具の役割を画像投射装置自体に付加することで、専用の治具を必要とせずに、市場でのキーストン再設定を容易なものとしている。
【００６３】
［第２の実施形態］
以下、本発明に係る画像投射装置の他の実施形態について説明する。なお、上記実施形態と同様の点についての説明は適宜省略する。
【００６４】
図６は、メカスイッチＳＷ１〜ＳＷ４を調整足３０に設けた画像投射装置１００の概略断面図である。第１の実施形態では、メカスイッチＳＷ１〜ＳＷ４は、画像投射装置１００の筐体９９に設けられていたが、図６に示すように、調整足３０に設けるようにしてもよい。この場合、各ＳＷの釦は、画像投射装置１００の筐体９９側に設けられて、筐体９９にて押圧されることとなる。角度の検出方法および設定方法は、第１の実施形態と同様であるため説明は省略する。
【００６５】
［第３の実施形態］
また、上記実施形態では、フロント側およびリア側双方の筐体９９または調整足３０にメカスイッチＳＷ１〜ＳＷ４を設ける例について説明したが、例えば、画像投射装置１００がフロント側のみ調整足を有し、リア側の高さを調整可能としない構成では、メカスイッチをフロント側のみに設ける構成（ＳＷ１，ＳＷ３のみの構成）としてもよい。この場合は、０度状態と＋α度状態のキーストン設定が可能となる。
【００６６】
尚、上述の実施形態は本発明の好適な実施の例ではあるがこれに限定されるものではなく、本発明の要旨を逸脱しない範囲において種々変形実施可能である。
【符号の説明】
【００６７】
１  映像信号制御部
２  リモコン受信部
３  システム制御部
４  メモリ
５  入力端子
６  本体操作部
７  ファン制御部
８  ファン
９  ＤＭＤ制御部
１０  カラーホイール制御部
１１  回転検出部
１２  ランプ制御部
１３  投射レンズ
１４  ＤＭＤ
１５  カラーホイール
１６  ランプ
１７  リモコン
２０  キーストン補正部
２１  加速度センサ
２２  スイッチ制御部
３０  調整足
３０ａ  調整足（フロント側）
３０ｂ  調整足（リア側）
３１ａ，３１ｂ  上板部
３２ａ，３２ｂ  脚部
３３ａ，３３ｂ  台座部
９８ａ，９８ｂ  孔部
９９  筐体
１００  画像投射装置
１０１  スクリーン
１０２  投射画像
１０３  設置面
１０４  治具
ＳＷ１〜ＳＷ４  メカスイッチ
【先行技術文献】
【特許文献】
【００６８】
【特許文献１】特開２００８−２４１４９０号公報
【図１】
2016062008.tif 000005
【図２】
2016062008.tif 000006
【図３】
2016062008.tif 000007
【図４】
2016062008.tif 000008
【図５】
2016062008.tif 000009
【図６】
2016062008.tif 000010
【図７】
2016062008.tif 000011